(57)【特許請求の範囲】
【請求項１】
直線又は曲線状の１本又は複数の画線からなる模様を、潜像を施さない部分の画線を実線で、潜像を施した部分の画線を基本線方向を基準とし等距離に複数に分岐し、前記複数に分岐した画線がそれぞれ一定の間隔で配列された形状の画線からなる定周期断絶線で構成し、前記潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積より大きい定周期断絶線で構成することで、複写すると前記潜像を施した部分が視認不可能となる複写防止模様を有する印刷物。
【請求項２】
直線又は曲線状の１本又は複数の画線からなる模様を、潜像を施さない部分の画線を実線で、潜像を施した部分の画線を基本線方向を基準とし等距離に複数に分岐し、前記複数に分岐した画線のうち、少なくとも１本以上の画線が他の分岐した画線と異なる周期で配列された形状の画線からなる定周期断絶線で構成し、前記潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積と等しい定周期断絶線で構成することで、複写すると前記潜像を施した部分が視認可能となる複写防止模様を有する印刷物。
【請求項３】
直線又は曲線状の１本又は複数の画線からなる模様を、潜像を施さない部分の画線を実線で、潜像を施した部分の画線を基本線方向を基準とし等距離に複数に分岐し、前記複数に分岐した画線のうち、少なくとも１本以上の画線が他の分岐した画線と異なる周期で配列された形状の画線からなる定周期断絶線で構成し、前記潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積より大きい定周期断絶線で構成することで、複写すると前記潜像を施した部分が視認不可能となる複写防止模様を有する印刷物。
【請求項４】
直線又は曲線状の１本又は複数の画線からなる模様を、潜像を施さない部分の画線を実線で、潜像を施した部分の画線を基本線方向を基準とし等距離に複数に分岐し、前記複数に分岐した画線がそれぞれ一定の間隔で配列された形状の画線からなる定周期断絶線で構成し、前記潜像を施した部分の定周期断絶線のうち、基本線方向に分岐した画線部と非画線部からなる第１の所定の長さに相当する部分の画線面積の総和が、潜像を施さない部分の実線のうち、基本線方向における前記第１の所定の長さと同一の長さに相当する部分の画線面積より大きい定周期断絶線で構成した第１の視認性模様と、前記潜像を施した部分の定周期断絶線のうち、基本線方向に分岐した画線部と非画線部からなる第２の所定の長さに相当する部分の画線面積の総和が、潜像を施さない部分の実線のうち、基本線方向における前記第２の所定の長さと同一の長さに相当する部分の画線面積と等しい定周期断絶線で構成した第１の非視認性模様とを設けることで、複写すると前記第１の視認性模様が視認不可能となり、前記第１の非視認性模様が視認可能となる複写防止模様を有する印刷物。
【請求項５】
直線又は曲線状の１本又は複数の画線からなる模様を、潜像を施さない部分の画線を実線で、潜像を施した部分の画線を基本線方向を基準とし等距離に複数に分岐し、前記複数に分岐した画線のうち、少なくとも１本以上の画線が他の分岐した画線と異なる周期で配列された形状の画線からなる定周期断絶線で構成し、前記潜像を施した部分の定周期断絶線のうち、基本線方向に分岐した画線部と非画線部からなる第１の所定の長さに相当する部分の画線面積の総和が、潜像を施さない部分の実線のうち、基本線方向における前記第１の所定の長さと同一の長さに相当する部分の画線面積より大きい定周期断絶線で構成した第２の視認性模様と、前記潜像を施した部分の定周期断絶線のうち、基本線方向に分岐した画線部と非画線部からなる第２の所定の長さに相当する部分の画線面積の総和が、潜像を施さない部分の実線のうち、基本線方向における前記第２の所定の長さと同一の長さに相当する部分の画線面積と等しい定周期断絶線で構成した第２の非視認性模様とを設けることで、複写すると前記第２の視認性模様が視認不可能となり、前記第２の非視認性模様が視認可能となる複写防止模様を有する印刷物。
【請求項６】
直線又は曲線状の１本又は複数の画線からなる模様を、潜像を施さない部分の画線を実線で、潜像を施した部分の画線を基本線方向を基準とし等距離に複数に分岐し、前記複数に分岐した画線がそれぞれ一定の間隔で配列された形状の画線からなる定周期断絶線で構成し、前記潜像を施した部分の定周期断絶線のうち、基本線方向に分岐した画線部と非画線部からなる第１の所定の長さに相当する部分の画線面積の総和が、潜像を施さない部分の実線のうち、基本線方向における前記第１の所定の長さと同一の長さに相当する部分の画線面積より大きい定周期断絶線で構成した第１の視認性模様と、
前記複数に分岐した画線のうち、少なくとも１本以上の画線が他の分岐した画線と異なる周期で配列された形状の画線からなる定周期断絶線で構成し、前記潜像を施した部分の定周期断絶線のうち、基本線方向に分岐した画線部と非画線部からなる第２の所定の長さに相当する部分の画線面積の総和が、潜像を施さない部分の実線のうち、基本線方向における前記第２の所定の長さと同一の長さに相当する部分の画線面積と等しい定周期断絶線で構成した第２の非視認性模様とを設けることで、複写すると前記第１の視認性模様が視認不可能となり、前記第２の非視認性模様が視認可能となる複写防止模様を有する印刷物。
【請求項７】
直線又は曲線状の１本又は複数の画線からなる模様を、潜像を施さない部分の画線を実線で、潜像を施した部分の画線を基本線方向を基準とし等距離に複数に分岐し、前記複数に分岐した画線のうち、少なくとも１本以上の画線が他の分岐した画線と異なる周期で配列された形状の画線からなる定周期断絶線で構成し、前記潜像を施した部分の定周期断絶線のうち、基本線方向に分岐した画線部と非画線部からなる第１の所定の長さに相当する部分の画線面積の総和が、潜像を施さない部分の実線のうち、基本線方向における前記第１の所定の長さと同一の長さに相当する部分の画線面積より大きい定周期断絶線で構成した第２の視認性模様と、
前記複数に分岐した画線がそれぞれ一定の間隔で配列された形状の画線からなる定周期断絶線で構成し、前記潜像を施した部分の定周期断絶線のうち、基本線方向に分岐した画線部と非画線部からなる第２の所定の長さに相当する部分の画線面積の総和が、潜像を施さない部分の実線のうち、基本線方向における前記第２の所定の長さと同一の長さに相当する部分の画線面積と等しい定周期断絶線で構成した第１の非視認性模様とを設けることで、複写すると前記第２の視認性模様が視認不可能となり、前記第１の非視認性模様が視認可能となる複写防止模様を有する印刷物。
【発明の詳細な説明】
【０００１】
【発明の属する技術分野】
本発明は、銀行券、株券、債券等の有価証券、各種証明書及び重要書類等の偽造、変造を防止する必要性がある印刷物において、複写機により複写した場合に、複写物の判別機能を付与する複写防止模様の作成方法及びその印刷物に関するものである。
【０００２】
【従来の技術】
銀行券、株券、債券等の有価証券、各種証明書及び重要書類等の印刷物において偽造、変造防止策は重要な要素である。これら印刷物の偽造、変造防止策は主に幾何学模様を多様化した図柄をデザインに用いる方法と、印刷物に対し何等かの手段と作用を加えると目視では認識できなかった潜像を現出するような方法がある。前者の代表的な例は、証券印刷物等のデザインに広く用いられている地紋、彩紋模様、レリーフ模様等があり、後者の代表的な例は潜像凹版、複写機で色が正常に再現されないような機能性インキ、コピー防止画線等がある。しかし、最近のカラー複写機の著しい普及に伴い、偽造、変造による犯罪が増加する危険性を有しており、より一層効果の高い偽造、変造防止策として技術の開発が望まれていた。
【０００３】
前記の幾何学模様を用いる偽造、変造防止としては、地紋、彩紋模様、レリーフ模様等があり、基本的に一定の画線幅による曲画線の集合によって模様を構成しているものである。これらの模様は印刷物のデザイン等の意匠性を加味し、偽造、変造防止策を施すことができ、模様を複雑にすることによって偽造物における同一の模様を作製しようとするのを困難とし、写真製版装置による抽出、又は、複写機では再現されにくい色彩を用いたり、複雑な曲画線にして複写機及びスキャナーの走査入出力に対するモアレを発生させたりすることで偽造防止策としての役割を高めている。また、前記模様類は証券印刷物等のデザインにおいて世界的に広く用いられていると同時に、銀行券、株券、債券等の金銭的価値を有する印刷物の模様として古くから用いられ、現在でも一般的に高級感を印象づけるデザインとして重要な模様となっている。従って、銀行券、株券、債券等の有価証券、各種証明書及び重要書類等の印刷物において、地紋、彩紋模様、レリーフ模様等はデザイン上欠かすことのできない模様である。しかし、最近では高機能化した写真製版装置、又は、複写機の出現によって十分な偽造、変造防止効果をもたらしていないという欠点がある。
【０００４】
また、前記の印刷物に対し何等かの手段と作用を加えると、目視では認識できなかった潜像を現出するような方法の代表的な技術として、一般的にコピー防止画線と称する一連の技術がある。即ち複写機によって複写することにより、印刷物中に施してあった潜像が現出するものである。このような複写機による偽造防止に適する印刷物においては、基紙表面に例えば８５線３０％の網点である微細構成素子よりなる文字を表示した潜像を銀インキを用いて印刷し、次にこの潜像以外の余白部に前記潜像より粗、又は、密（例えば１５０線３０％）の網点で印刷を施すと共に、前記潜像の上面に彩紋や地紋等の印刷模様を施す、複写による偽造防止に適する潜像入り印刷物（特開昭５７−２０３９５号公報）があり、また、用紙の表面に網点で潜像を印刷し、万線で潜像と同濃度の背景を同時印刷し、背景を含む潜像の上面に装飾模様をコピーで再現されない程度の薄色の透明性インキで重ね刷りすることにより、印刷物表面を体裁よく仕上げ、コピーにかけると模様は見えなくなり、背景は再現されると共に潜像は再現されず、背景と潜像の濃度差が歴然となって複写物であることが一見して分かる、複写防止に適する印刷物（特開昭６０−７９９９１号公報）があり、さらに、１５０線１０％の網点よりなる潜像をそなえ、且つ潜像周囲の白地面に５０〜６０線１０％程度の万線よりなる背景を備えた潜像版を用いて、用紙の表面に濃色の印刷を施し、背景の万線と干渉した時にモアレ模様を形成する平行線よりなる波形パターンを備えたオーバープリント版を用いて、用紙表面に複写機で再生されない淡色の重ね刷りを施すことにより、印刷物の表面は肉眼を幻惑するモアレ模様が形成されるので潜像の存在は識別困難となり、複写機にかけると潜像と波形パターンは再生されずに背景のみが再生されるので、潜像が背景と区別して認められる、印刷物における複写防止用潜像カムフラージ法（特開昭６０−８７３８０号公報）等が開示されている。
【０００５】
前記公報等による印刷物は、いずれも網点もしくは万線等の点及び線が一定周期で連続配置する画線群（以下、スクリーンパターンと称する）の粗密によって潜像が施され、図１１の印刷物（１）に示すように、印刷面全体の模様（２）が均一濃度を持ったスクリーンパターンとなっている。前記潜像が施された印刷物（１）を複写機によって複写した際、再生されない密構成のスクリーンパターン（３）と、再生される粗構成のスクリーンパターン（４）とは、図１２の複写物（１’）の模様（２’）に示すように濃度差が生じて、再生される粗構成のスクリーンパターン（４’）に対して、再生されない密構成のスクリーンパターン（３’）の潜像部分が現出するようにして、複写物であることが一目瞭然となるようにしたものであるが、印刷面全体が均一濃度を持ったスクリーンパターンという特徴から、肉眼視においても同一印刷面上の異なるスクリーンパターンによって、スクリーン形状の違いによる異別感及びスクリーンパターンゆえに生ずる潜像の境界線との干渉部（５）により、潜像の存在を識別できてしまう欠点がある。
【０００６】
そこで、前記欠点を解決する方法として、前記公報等はいずれも潜像をカムフラージするために別の模様や薄色の透明インキ、淡色の重ね刷りを施しているが、前記方法は潜像を識別しにくくする点では有効であるが、工程数が増え経済的でないという欠点を有している。
【０００７】
また、前記した従来技術の方法はいずれも網点もしくは万線等の点及び線の粗密からなるスクリーンパターンでなければならないため、地紋、彩紋模様を多用している銀行券、株券、債券などの有価証券等の既存製品に用いるには適さないという欠点があった。
【０００８】
また、本願出願人は、用紙表面に網点又は万線等のパターンからなる潜像と、該潜像周囲に前記潜像とは粗密が異なるパターンからなる背景を１色で同時印刷した印刷物において、該潜像を施した潜像模様が肉眼では識別されないことを特徴とする複写防止に適する印刷物（特開平４−１７０５６９号公報）として、潜像をカムフラージするための別の模様や薄色の透明インキ、さらには、淡色の重ね刷りを施さず、白抜きの円形模様や、全面的なスクリーンパターンに対する部分的なスクリーンパターンの網点パーセントを増加した同心円模様等で、カムフラージする方法を既に出願していが、前述したとおり前記従来技術は何れもスクリーンパターンにより潜像を施しているため潜像の視認は容易であり、単色印刷物では別途、上書きされる文字等の情報がカムフラージの役割を果たさなければならないことから、あくまでも文字等の背景となす地紋模様にしか活用できず、潜像を施した単色印刷画線模様そのものを彩紋模様のごとく自由なデザイン化した模様にしたり、装飾効果をもった美術的な印刷物にすることは不可能であるという欠点があった。さらに、前記従来技術の方法はいずれも網点もしくは万線等の点及び線の粗密からなるスクリーンパターンでなければならないため、地紋、彩紋模様を多様している銀行券、株券、債券などの有価証券の既存の製品に用いるには適さないという欠点があった。
【０００９】
そこで、これらの欠点を解決するために、本願出願人は、曲画線の集合模様に、潜像を施さない部分を１本線、潜像を施した部分を２本線以上で表現し、潜像を施した部分の２本線以上の画線の合計の画線幅が、潜像を施さない１本線の画線の画線幅と等しくなるように、潜像を施さない部分の１本線から分岐し、潜像を施さない部分と潜像を施した部分の画線上の境界線が、前記模様を構成する基本線と潜像の輪郭線の交点において接する直線に対し、略直角に交わる直線であり、前記潜像を施した部分の２本線以上で一組となっている画線において、一組ごとの前記画線同士が交差する部分で、両者一組ごとの前記画線同士を、両者一組ごとの画線の画線間の内側の範囲内で削除したことを特徴とした、複写防止模様の作成方法及びその印刷物（特開平９−１３６４８０号公報）を既に出願している。
【００１０】
さらに、本願出願人は、前記複写防止模様を施した印刷物を、複写機に対してより効果のあるものにするために、さらに改良を加えた。曲線状の集合模様を、潜像を施さない部分の画線を連続線、潜像を施した部分の画線を基本線方向に一定の間隔で配列された形状の画線からなる定周期断絶線で構成し、潜像を施した部分の定周期断絶線のうち、基本線方向に連続した一つの画線部と非画線部からなる一周期に相当する部分の画線面積の総和が、潜像を施さない部分の連続線のうち、基本線方向における前記一周期と同一の長さに相当する部分の画線面積と等しくし、さらに、前記潜像を施した部分の定周期断絶線となっている画線において、定周期断絶線の画線同士が交差する部分で、前記画線同士のどちらか一方の画線を、もう一方の画線の画線幅の範囲内で削除することを特徴とした、複写防止模様の作成方法及びその印刷物（特開平９−２４０１３５号公報）を出願している。しかし、最近のカラー複写機の解像度の著しい技術進歩に伴い、前記公報の印刷物を複写機で複写した場合に、明瞭に潜像が発現することが困難になってきているという問題があった。
【００１１】
【発明が解決しようとする課題】
本発明は、前述した問題を解決しようとするものである。複写防止模様における潜像の非視認性を高める方法として、人間の目の特性ならびに心理学的見地から考えると、人間の目は、画像の低周波に感度が良く、高周波に感度が悪い。つまり、低周波通過フィルタの特性を持っているので、例えば、小さな点がたくさん並んでいる時、低周波フィルタ特性から画像がぼやけるということ、心理学者（ウェストハイマー）が人間の頭脳のメカニズムについて見出した法則に、近接した線や点は一つのまとまりとなるという近接の法則がある。これらが同時に起こると、例えば、小さな点が線上に並んだ場合、それら点の集合は濃度が等しいので、１本の線として認識されることになる。そこで、これらを考慮し、潜像の非視認性をより高めるための画線設計を開発した。すなわち、複写機で潜像が出現する効果をより一層高めるために、また、変化の印象を高めるため、潜像部を細分化することにより、複写機による潜像の出現を高めることができる複写防止模様の作成方法及びその印刷物を提供する。
【００１２】
【課題を解決するための手段】
【００１３】
本発明は、直線又は曲線状の１本又は複数の画線からなる模様を、潜像を施さない部分の画線を実線で、潜像を施した部分の画線を基本線方向を基準とし等距離に複数に分岐し、複数に分岐した画線がそれぞれ一定の間隔で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における所定の長さと同一の長さに相当する部分の画線面積より大きい定周期断絶線で構成することで、複写すると潜像を施した部分が視認不可能となる複写防止模様を有する印刷物である。
【００１４】
また、本発明は、直線又は曲線状の１本又は複数の画線からなる模様を、潜像を施さない部分の画線を実線で、潜像を施した部分の画線を基本線方向を基準とし等距離に複数に分岐し、複数に分岐した画線のうち、少なくとも１本以上の画線が他の分岐した画線と異なる周期で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における所定の長さと同一の長さに相当する部分の画線面積と等しい定周期断絶線で構成することで、複写すると潜像を施した部分が視認可能となる複写防止模様を有する印刷物である。
【００１５】
また、本発明は、直線又は曲線状の１本又は複数の画線からなる模様を、潜像を施さない部分の画線を実線で、潜像を施した部分の画線を基本線方向を基準とし等距離に複数に分岐し、複数に分岐した画線のうち、少なくとも１本以上の画線が他の分岐した画線と異なる周期で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における所定の長さと同一の長さに相当する部分の画線面積より大きい定周期断絶線で構成することで、複写すると潜像を施した部分が視認不可能となる複写防止模様を有する印刷物である。
【００１６】
また、本発明は、直線又は曲線状の１本又は複数の画線からなる模様を、潜像を施さない部分の画線を実線で、潜像を施した部分の画線を基本線方向を基準とし等距離に複数に分岐し、複数に分岐した画線がそれぞれ一定の間隔で配列された形状の画線からなる定周期断絶線で構成し、潜像を施した部分の定周期断絶線のうち、基本線方向に分岐した画線部と非画線部からなる第１の所定の長さに相当する部分の画線面積の総和が、潜像を施さない部分の実線のうち、基本線方向における第１の所定の長さと同一の長さに相当する部分の画線面積より大きい定周期断絶線で構成した第１の視認性模様と、潜像を施した部分の定周期断絶線のうち、基本線方向に分岐した画線部と非画線部からなる第２の所定の長さに相当する部分の画線面積の総和が、潜像を施さない部分の実線のうち、基本線方向における第２の所定の長さと同一の長さに相当する部分の画線面積と等しい定周期断絶線で構成した第１の非視認性模様とを設けることで、複写すると第１の視認性模様が視認不可能となり、第１の非視認性模様が視認可能となる複写防止模様を有する印刷物である。
【００１７】
また、本発明は、直線又は曲線状の１本又は複数の画線からなる模様を、潜像を施さない部分の画線を実線で、潜像を施した部分の画線を基本線方向を基準とし等距離に複数に分岐し、複数に分岐した画線のうち、少なくとも１本以上の画線が他の分岐した画線と異なる周期で配列された形状の画線からなる定周期断絶線で構成し、潜像を施した部分の定周期断絶線のうち、基本線方向に分岐した画線部と非画線部からなる第１の所定の長さに相当する部分の画線面積の総和が、潜像を施さない部分の実線のうち、基本線方向における第１の所定の長さと同一の長さに相当する部分の画線面積より大きい定周期断絶線で構成した第２の視認性模様と、潜像を施した部分の定周期断絶線のうち、基本線方向に分岐した画線部と非画線部からなる第２の所定の長さに相当する部分の画線面積の総和が、潜像を施さない部分の実線のうち、基本線方向における第２の所定の長さと同一の長さに相当する部分の画線面積と等しい定周期断絶線で構成した第２の非視認性模様とを設けることで、複写すると第２の視認性模様が視認不可能となり、第２の非視認性模様が視認可能となる複写防止模様を有する印刷物である。
【００１８】
また、本発明は、直線又は曲線状の１本又は複数の画線からなる模様を、潜像を施さない部分の画線を実線で、潜像を施した部分の画線を基本線方向を基準とし等距離に複数に分岐し、複数に分岐した画線がそれぞれ一定の間隔で配列された形状の画線からなる定周期断絶線で構成し、潜像を施した部分の定周期断絶線のうち、基本線方向に分岐した画線部と非画線部からなる第１の所定の長さに相当する部分の画線面積の総和が、潜像を施さない部分の実線のうち、基本線方向における第１の所定の長さと同一の長さに相当する部分の画線面積より大きい定周期断絶線で構成した第１の視認性模様と、複数に分岐した画線のうち、少なくとも１本以上の画線が他の分岐した画線と異なる周期で配列された形状の画線からなる定周期断絶線で構成し、潜像を施した部分の定周期断絶線のうち、基本線方向に分岐した画線部と非画線部からなる第２の所定の長さに相当する部分の画線面積の総和が、潜像を施さない部分の実線のうち、基本線方向における第２の所定の長さと同一の長さに相当する部分の画線面積と等しい定周期断絶線で構成した第２の非視認性模様とを設けることで、複写すると第１の視認性模様が視認不可能となり、第２の非視認性模様が視認可能となる複写防止模様を有する印刷物である。
【００１９】
また、本発明は、直線又は曲線状の１本又は複数の画線からなる模様を、潜像を施さない部分の画線を実線で、潜像を施した部分の画線を基本線方向を基準とし等距離に複数に分岐し、複数に分岐した画線のうち、少なくとも１本以上の画線が他の分岐した画線と異なる周期で配列された形状の画線からなる定周期断絶線で構成し、潜像を施した部分の定周期断絶線のうち、基本線方向に分岐した画線部と非画線部からなる第１の所定の長さに相当する部分の画線面積の総和が、潜像を施さない部分の実線のうち、基本線方向における第１の所定の長さと同一の長さに相当する部分の画線面積より大きい定周期断絶線で構成した第２の視認性模様と、複数に分岐した画線がそれぞれ一定の間隔で配列された形状の画線からなる定周期断絶線で構成し、潜像を施した部分の定周期断絶線のうち、基本線方向に分岐した画線部と非画線部からなる第２の所定の長さに相当する部分の画線面積の総和が、潜像を施さない部分の実線のうち、基本線方向における第２の所定の長さと同一の長さに相当する部分の画線面積と等しい定周期断絶線で構成した第１の非視認性模様とを設けることで、複写すると第２の視認性模様が視認不可能となり、第１の非視認性模様が視認可能となる複写防止模様を有する印刷物である。
【００２０】
【発明の実施の形態】
従来からの複写機による偽造防止に適する印刷物では、網点もしくは万線等のスクリーンパターンの粗密によって潜像が施され、印刷面全体が均一濃度を持ったスクリーンパターンとなっているのに対し、本発明は、直線又は曲線状の１本又は複数の画線からなる模様を、潜像を施さない部分の画線を実線で、潜像を施した部分の画線を基本線方向を基準とし等距離に複数に分岐し、前記複数に分岐した画線がそれぞれ一定の間隔で配列された形状の画線からなる定周期断絶線で構成することにより、非視認性が高まり、しかも潜像部を細分化するため、複写機で複写した場合、肉眼ではより一層明瞭に潜像が発現する。
【００２１】
また、直線又は曲線状の１本又は複数の画線からなる模様を、潜像を施さない部分の画線を実線で、潜像を施した部分の画線を基本線方向を基準とし等距離に複数に分岐し、前記複数に分岐した画線がそれぞれ一定の間隔で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積と等しい定周期断絶線で構成する複写防止模様（以下、第１の非視認性の複写防止模様の画線という。）としているので、この複写防止模様を印刷した印刷物を観察した場合、第１の非視認性の印刷物の画線は、潜像を施さない部分の実線の延長であるかのように認識されることにより、肉眼では潜像をまったく識別できない。
【００２２】
また、直線又は曲線状の１本又は複数の画線からなる模様を、潜像を施さない部分の画線を実線で、潜像を施した部分の画線を基本線方向を基準とし等距離に複数に分岐し、前記複数に分岐した画線がそれぞれ一定の間隔で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積より大きい定周期断絶線で構成する複写防止模様（以下、第１の視認性の複写防止模様の画線という。）としているので、この複写防止模様を印刷した印刷物を観察した場合、第１の視認性の複写防止模様の画線は、肉眼で識別できる。
【００２３】
即ち、第１の非視認性の複写防止模様の画線においては、潜像を施さない部分の画線と第１の非視認性の複写防止模様の画線では、基本線方向における前記所定の長さと同一の長さに相当する部分で等しい画線面積とし、且つ、膨張値等を加味した画線を印刷した印刷物の全体を観察した場合、観察者には第１の非視認性の複写防止模様の画線が定周期断絶線であるにもかかわらず、潜像を施さない部分の画線の延長であるかのように認識されることにより、肉眼では第１の非視認性の複写防止模様の画線をまったく識別できなくすることを可能にしている。
また、第１の非視認性の複写防止模様の画線を有した印刷物を複写機により複写すると、第１の非視認性の複写防止模様の画線は複写機の解像力から、潜像を施さない部分の画線はそのまま再生され、第１の非視認性の複写防止模様の画線は再生されないか、もしくは再生不能となるため、複写物を肉眼で観察した場合、潜像を施さない部分の画線は、基本線方向に連続した１本の画線として認識され、第１の非視認性の複写防止模様の画線は、細分化され認識不能となり、第１の非視認性の複写防止模様の画線と潜像を施さない部分の画線に濃度差が生じ、肉眼では第１の非視認性の複写防止模様の画線は背景色とほぼ同色となり、第１の非視認性の複写防止模様が発現する。
【００２４】
また、第１の視認性の複写防止模様の画線においては潜像を施さない部分の画線と第１の視認性の複写防止模様の画線では、基本線方向における前記所定の長さと同一の長さに相当する部分で、潜像を施した前記所定の長さの画線面積の総和の方が大きい画線面積とし、前記大きい画線面積量は、複写機による潜像を施さない部分の実線と定周期断絶線の再現性の違いを考慮して、複写後に基本線方向における前記所定の長さと同一の長さに相当する部分で等しい画線面積になるように、基本線方向における前記所定の長さと同一の長さに相当する部分で、第１の視認性の複写防止模様の画線における前記所定の長さの画線面積の総和は、複写後の基本線方向における前記所定の長さと同一の長さに相当する部分での画線面積量（濃度）の差分を加え、且つ、膨張値等を加味した画線で印刷物全体を観察した場合、観察者には潜像を施さない部分の画線よりも第１の視認性の複写防止模様の画線の方が画線面積量（濃度）が濃いので、第１の視認性の複写防止模様の画線は複写前に肉眼で識別することができる。また、第１の視認性の複写防止模様の画線を有した印刷物を複写機により複写すると、第１の視認性の複写防止模様の画線は定周期断絶線のため潜像を施さない部分の画線より、複写機の画像の再現における潜像を施さない部分の画線の実線と定周期断絶線との収縮する割合が前記差分だけ多く、基本線方向における前記所定の長さと同一の長さに相当する部分で等しい濃度となり、第１の視認性の複写防止模様の画線は潜像を施さない部分の画線と同化し、第１の視認性の複写防止模様の画線が正確に再現されていないにもかかわらず、潜像を施さない部分の画線の実線の延長であるかのように認識されるため、肉眼では第１の視認性の複写防止模様の画線を識別できない。
【００２５】
また、直線又は曲線状の１本又は複数の画線からなる模様を、潜像を施さない部分の画線を実線で、潜像を施した部分の画線を基本線方向を基準とし等距離に複数に分岐し、前記複数に分岐した画線のうち、少なくとも１本以上の画線が他の分岐した画線と異なる周期で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積と等しい定周期断絶線で構成する複写防止模様（以下、第２の非視認性の複写防止模様の画線という。）としているので、この複写防止模様を印刷した印刷物を観察した場合、非視認性の印刷物の画線は、潜像を施さない部分の実線の延長であるかのように認識されることにより、肉眼では潜像をまったく識別できなくすることを可能にしている。また、潜像を施した部分の画線を基本線方向を基準とし等距離に複数に分岐し、前記複数に分岐した画線のうち、少なくとも１本以上の画線が他の分岐した画線と異なる周期で配列された形状の画線からなる定周期断絶線で構成しているため、第２の非視認性の複写防止模様の画線を有した印刷物を複写機により複写すると、第２の非視認性の複写防止模様の画線は複写機の走査線の特徴から、第２の非視認性の複写防止模様の画線は再生されないか、もしくは再生不能となるため、第２の非視認性の複写防止模様の画線は、より細分化され認識不能となり、第２の非視認性の複写防止模様の画線と潜像を施さない部分の画線により濃度差が生じ、肉眼では第２の非視認性の複写防止模様の画線は背景色とほぼ同色となり、第２の非視認性の複写防止模様が一層明瞭に発現する。
【００２６】
また、直線又は曲線状の１本又は複数の画線からなる模様を、潜像を施さない部分の画線を実線で、潜像を施した部分の画線を基本線方向を基準とし等距離に複数に分岐し、前記複数に分岐した画線のうち、少なくとも１本以上の画線が他の分岐した画線と異なる周期で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積より大きい定周期断絶線で構成する複写防止模様（以下、第２の視認性の複写防止模様の画線という。）としているので、この複写防止模様を印刷した印刷物を観察した場合、第２の視認性の複写防止模様の画線は、肉眼で識別できる。また、潜像を施した部分の画線を基本線方向を基準とし等距離に複数に分岐し、前記複数に分岐した画線のうち、少なくとも１本以上の画線が他の分岐した画線と異なる周期で配列された形状の画線からなる定周期断絶線で構成しているため、第２の視認性の複写防止模様の画線を有した印刷物を複写機により複写すると、第２の視認性の複写防止模様の画線は複写機の走査線の特徴から基本線方向における前記所定の長さと同一の長さに相当する部分でより等しい濃度となり、第２の視認性の複写防止模様の画線は潜像を施さない部分の画線と同化がより顕著となり、第２の視認性の複写防止模様の画線が正確に再現されていないにもかかわらず、潜像を施さない部分の画線の実線の延長であるかのように認識されるため、肉眼では第２の視認性の複写防止模様の画線をより識別できない。
【００２７】
また、第１の視認性の複写防止模様の画線において、第１の視認性の複写防止模様の画線同士が交差する領域、第１の非視認性の複写防止模様の画線同士が交差する領域、第２の視認性の複写防止模様の画線同士が交差する領域、第２の非視認性の複写防止模様の画線において、前記画線同士が重なり合う部分の、何れか一方の画線を削除することにより、複写防止模様を全体で見た際、前記模様中の第１の視認性の複写防止模様の画線同士、第１の非視認性の複写防止模様の画線同士、第２の視認性の複写防止模様の画線同士、第２の非視認性の複写防止模様の画線同士が交差する領域では、画線に交差する領域が存在するように見えても、実際には潜像を施した部分の画線においては、画線の何れか一方を交差する領域で削除しているので、画線同士の交差（重なり）が存在していない。従って、前記画線同士が交差した領域に生じる画線の高濃度化を防止できる。これにより、本発明の画線構成を有した印刷物を複写機により複写すると、複写機の解像力から、前記第１の視認性の複写防止模様の画線同士が交差する（重なる）領域、第１の非視認性の複写防止模様の画線同士が交差する（重なる）領域、前記第２の視認性の複写防止模様の画線同士が交差する（重なる）領域、第２の非視認性の複写防止模様の画線同士が交差する（重なる）領域において、画線の何れか一方を交差する領域で削除しているので、高濃度化することがなく、第１及び第２の非視認性の複写防止模様の画線は再生されないか、若しくは再生不能になり、肉眼では第１及び第２の非視認性の複写防止模様の画線は背景色とほぼ同色となり、第１及び第２の非視認性の複写防止模様の画線が発現し、第１及び第２の視認性の複写防止模様の画線は、肉眼では潜像を施さない部分の画線と同化することを阻害することがない。よって第１及び第２の非視認性の複写防止模様の画線は一層明瞭に潜像が発現し、第１及び第２の視認性の複写防止模様の画線は潜像を施さない部分の画線との同化が肉眼ではより顕著となる。同様に第１の視認性の複写防止模様の画線、第１の非視認性の複写防止模様の画線、第２の視認性の複写防止模様の画線又は第２の非視認性の複写防止模様の画線のうち、少なくとも２つ以上の複写防止模様有した場合、前記複写防止模様の画線において、画線同士が交差する部分で、画線同士の何れか一方の画線を、画線同士が交差する領域で削除することにより、複写防止模様の画線が交差する（重なる）領域は、高濃度化することがなく、同様の効果が得られる。
【００２８】
さらに、潜像を施さない部分の画線と第１の視認性の複写防止模様の画線上の境界線、潜像を施さない部分の画線と第１の非視認性の複写防止模様の画線上の境界線、潜像を施さない部分の画線と第２の視認性の複写防止模様の画線上の境界線及び潜像を施さない部分の画線と第２の非視認性の複写防止模様の画線上の境界線を、基本線と潜像の輪郭線との交点において、前記基本線に対し略直角に交わる直線とし、併せて、第１の視認性の複写防止模様の画線上の画線部と非画線部の境界線、第１の非視認性の複写防止模様の画線上の画線部と非画線部の境界線、第２の視認性の複写防止模様の画線上の画線部と非画線部の境界線及び第２の非視認性の複写防止模様の画線上の画線部と非画線部の境界線との交点において、前記基本線に対し略直角に交わる直線とすることで、基本線の線形状に応じて、各々の境界線に異なる角度を付与できる。また、潜像を施さない部分の画線と第１の視認性の複写防止模様の画線上の境界線、潜像を施さない部分の画線と第１の非視認性の複写防止模様の画線上の境界線、潜像を施さない部分の画線と第２の視認性の複写防止模様の画線上の境界線、潜像を施さない部分の画線と第２の非視認性の複写防止模様の画線上の境界線、第１の視認性の複写防止模様の画線上の画線部と非画線部の境界線、第１の非視認性の複写防止模様の画線上の画線部と非画線部、第２の視認性の複写防止模様の画線上の画線部と非画線部の境界線及び第２の非視認性の複写防止模様の画線上の画線部と非画線部の境界線は、必ずしも互いに同一方向にならないので、潜像の輪郭線と複写防止模様の干渉を防止でき、肉眼による潜像の視認性、非視認性により有効に作用している。同様に第１の視認性の複写防止模様の画線、第１の非視認性の複写防止模様の画線、第２の視認性の複写防止模様の画線又は第２の非視認性の複写防止模様の画線のうち、少なくとも２つ以上の複写防止模様を有した場合、前記複写防止模様の画線上の境界線を、基本線と潜像の輪郭線との交点において、前記基本線に対し略直角に交わる直線とすることで、潜像の輪郭線と複写防止模様の干渉を防止でき、肉眼による潜像の視認性、非視認性により有効に作用している。
【００２９】
【実施例】
本発明の複写防止模様の画線構成を図によって説明する。本発明の画線構成による複写防止模様は、本来、図１に示すように潜像を施さない部分の画線（６）と、第１の非視認性の複写防止模様の画線（７）と、第１の視認性の複写防止模様の画線（８）との組み合わせによって構成されるものである。本発明の画線構成をより詳細に示すために図２及び図３を用いて説明する。図２は潜像を施さない部分の画線（６）と、第１の非視認性の複写防止模様の画線（７）の形状を表した拡大図（設計図）である。また、図３は潜像を施さない部分の画線（６）と第１の視認性の複写防止模様の画線（８）の形状を表した拡大図（設計図）である。
【００３０】
なお、本実施例は、潜像を施した部分の画線、すなわち、第１の非視認性の複写防止模様の画線（７）と、第１の視認性の複写防止模様の画線（８）を、基本線方向を基準とし等距離に３分岐した構成の複写防止模様の画線で説明しているが、本発明はこの実施例に限定されるものではない。
【００３１】
図２において、潜像を施さない部分の実線（１１）の基本線（１０）に対して直角方向の画線幅をＡ、第１の非視認性の複写防止模様の画線（７）の定周期断絶線の画線部の基本線（１０）を通る直角方向の画線幅をａ、基本線（１０）を基準に上下に等距離Ｈだけ離れた定周期断絶線の中心線（Ｈ２）に対して直角方向の画線幅をｂ、ｃ、画線幅ａに対しての基本線方向の長さをａ２、画線幅ｂに対しての基本線方向の長さをｂ２、画線幅ｃに対しての基本線方向の長さをｃ２とし、画線幅ａの定周期断絶線の非画線部の基本線方向の長さをａ３、画線幅ｂの定周期断絶線の非画線部の基本線方向の長さをｂ３、画線幅ｃの定周期断絶線の非画線部の基本線方向の長さをｃ３とする。第１の非視認性の複写防止模様の画線の定周期断絶線の連続した一つの画線部と非画線部からなる基本線方向の所定の長さをＢ、印刷した際に画線部の周囲に生じる膨張値（又は収縮値）をｇとする。ここで、本発明の画線構成による複写防止模様を印刷する場合、前述のような本発明の効果を奏するためには、潜像を施さない部分の実線（１１）と第１の非視認性の複写防止模様の画線（７）の定周期断絶線の画線面積が重要な要素となるから、印刷時の画線部における基本線（１０）に対して直角方向の画線幅と基本線方向の画線長さの変化を考慮することが好ましい。印刷物上において、潜像を施さない部分の実線（１１）の基本線（１０）に対して直角方向の画線幅はＡ＋ｇ＋ｇ、即ち、Ａ＋２ｇとなり、第１の非視認性の複写防止模様の画線（７）の定周期断絶線の画線部の基本線（１０）に対して直角方向の画線幅は、それぞれａ＋２ｇ、ｂ＋２ｇ、ｃ＋２ｇとなり、画線幅に対しての基本線方向の長さはａ２＋２ｇ、ｂ２＋２ｇ、ｃ２＋２ｇとなる。
【００３２】
本発明の作用及び効果を生じさせるためには、基本線方向における前記所定の長さの長さＢにおける、潜像を施さない部分の実線（１１）の領域面積Ｘと、第１の非視認性の複写防止模様の画線（７）の定周期断絶線の画線部Ｙ１、Ｙ２、Ｙ３の領域面積Ｚ１との関係が重要であり、ＸはＹ１、Ｙ２、Ｙ３の面積の総和であるＺ１と等しくならなければならない。詳細には、Ｙ１、Ｙ２、Ｙ３の画線面積の総和はＸより９５％〜１１０％の許容範囲にすることが好ましい。この許容範囲については、印刷時において第１の非視認性の複写防止模様の画線を肉眼で認識させることを防ぐ濃度であり、且つ、複写後に第１の非視認性の複写防止模様の画線が肉眼で背景色とほぼ同色となる範囲であり、インキの色相にもよるが領域面積が９５％〜１１０％であることが必要である。定周期断絶線の領域面積が９５％以下で作成された印刷物は、潜像を施さない部分の画線よりも領域面積は小さいので、第１の非視認性の複写防止模様の画線を肉眼で認識することが可能となり、肉眼で認識不可能にするには不十分である。
【００３３】
また、領域面積の上限が１１０％を越えない範囲とし、領域面積が１１０％以上になると潜像を施さない部分の画線と第１の非視認性の複写防止模様の画線を有する印刷物を複写機により複写した場合、第１の非視認性の複写防止模様の画線の濃度が下がらず、潜像を施さない部分の画線との濃度差がなく、第１の非視認性の複写防止模様の画線が肉眼で認識不可能となる。これは、印刷時における非視認性を確保するための許容範囲である。即ち、本発明の効果を奏する画線構成では画線設計の段階において、
【数１】
0003689786.tif 000002
の関係を満足していることが好ましい。
【００３４】
図３において、潜像を施さない部分の実線（１１）の基本線（１０）に対して直角方向の画線幅をＡ、第１の視認性の複写防止模様の画線（８）の定周期断絶線の画線部の基本線（１０）を通る直角方向の画線幅をｄ、基本線（１０）を基準に上下に等距離Ｈだけ離れた定周期断絶線の中心線（Ｈ２）に対して直角方向の画線幅をｅ、ｆ、画線幅ｄに対しての基本線方向の長さをｄ２、画線幅ｅに対しての基本線方向の長さをｅ２、画線幅ｆに対しての基本線方向の長さをｆ２とし、画線幅ｄの定周期断絶線の非画線部の基本線方向の長さをｄ３、画線幅ｅの定周期断絶線の非画線部の基本線方向の長さをｅ３、画線幅ｆの定周期断絶線の非画線部の基本線方向の長さをｆ３とする。第１の視認性の複写防止模様の画線の定周期断絶線の連続した一つの画線部と非画線部からなる基本線方向の所定の長さをＢ、印刷した際に画線部の周囲に生じる膨張値（又は収縮値）をｇとする。ここで、本発明の画線構成による複写防止模様を印刷する場合、前述のような本発明の効果を奏するためには、潜像を施さない部分の実線（１１）と第１の視認性の複写防止模様の画線（８）の定周期断絶線の画線面積が重要な要素となるから、印刷時の画線部における基本線（１０）に対して直角方向の画線幅と基本線方向の画線長さの変化を考慮することが好ましい。印刷物上において、潜像を施さない部分の実線（１１）の基本線（１０）に対して直角方向の画線幅はＡ＋ｇ＋ｇ、即ち、Ａ＋２ｇとなり、第１の視認性の複写防止模様の画線（８）の定周期断絶線の画線部の基本線（１０）に対して直角方向の画線幅は、それぞれｄ＋２ｇ、ｅ＋２ｇ、ｆ＋２ｇとなり、画線幅に対しての基本線方向の長さはｄ２＋２ｇ、ｅ２＋２ｇ、ｆ２＋２ｇとなる。
【００３５】
本発明の作用及び効果を生じさせるためには、基本線方向における前記所定の長さの長さＢにおける、潜像を施さない部分の実線（１１）の領域面積Ｘと、第１の視認性の複写防止模様の画線（８）の定周期断絶線の画線部Ｙ４、Ｙ５、Ｙ６の領域面積Ｚ２との関係が重要であり、Ｙ４、Ｙ５、Ｙ６の面積の総和であるＺ２はＸより大きくなければならない。詳細には、Ｙ４、Ｙ５、Ｙ６の画線面積の総和はＸより１２０％〜１４０％の許容範囲であることが好ましい。この許容範囲については、印刷時において第１の視認性の複写防止模様の画線を肉眼ではっきりと認識させることができる濃度差であり、且つ、複写後に第１の視認性の複写防止模様の画線が潜像を施さない部分の実線（１１）と肉眼で同化する範囲であり、インキの色相にもよるが領域面積が１２０％以上であることが必要である。定周期断絶線の領域面積が１１０％〜１２０％で作成された印刷物は、潜像を施さない部分の画線よりも領域面積は大きいが、第１の視認性の複写防止模様の画線を肉眼で認識するには不十分である。
【００３６】
また、複写機により複写された印刷物は、潜像を施さない部分の画線よりも第１の視認性の複写防止模様の画線がポジティブに見えるものが、複写後はネガティブとなり、反転現象を起こすため、領域面積の上限は１４０％を越えない範囲とし、領域面積が１４０％以上になると潜像を施さない部分の画線と第１の視認性の複写防止模様の画線を有する印刷物を複写機により複写した場合、第１の視認性の複写防止模様の画線の濃度が下がらず、潜像を施さない部分の画線との濃度差があり、第１の視認性の複写防止模様の画線が肉眼で認識可能となる。これらを考慮した結果、本発明の効果を奏する画線構成では画線設計の段階において、
【数２】
0003689786.tif 000003
の関係を満足していることが好ましい。
【００３７】
さらに、本発明の複写防止模様の画線構成は、直線又は曲線状の１本又は複数の画線からなる模様を形成する画線を、潜像を施さない部分の画線を実線、第１の非視認性の複写防止模様の画線を基本線方向に一定の間隔で配列された形状の画線からなる定周期断絶線で構成し、第１の非視認性の複写防止模様の画線の定周期断絶線のうち、基本線方向に連続した一つの画線部と非画線部からなる所定の長さに相当する部分の画線面積が、潜像を施さない部分の実線のうち、基本線方向における前記所定の長さと同一の長さに相当する部分の画線面積と等しくなることを特徴としている。また、直線又は曲線状の１本又は複数の画線からなる模様を形成する画線を、潜像を施さない部分の画線を実線、第１の視認性の複写防止模様の画線を基本線方向に一定の間隔で配列された形状の画線からなる定周期断絶線で構成し、第１の視認性の複写防止模様の画線の定周期断絶線のうち、基本線方向に連続した一つの画線部と非画線部からなる所定の長さに相当する部分の画線面積が、潜像を施さない部分の実線のうち、基本線方向における前記所定の長さと同一の長さに相当する部分の画線面積より大きくなることを特徴としている。印刷物上で、第１の非視認性の複写防止模様の画線の定周期断絶線の非画線部の基本線方向の長さをそれぞれａ３、ｂ３、ｃ３としたとき、図２に示すａ３、ｂ３、ｃ３は、複写機では解像されない範囲の２５μｍ〜６０μｍで設定すれば良い。同様に、印刷物上で、第１の視認性の複写防止模様の画線の定周期断絶線の非画線部の基本線方向の長さをそれぞれｄ３、ｅ３、ｆ３としたとき、図３に示すｄ３、ｅ３、ｆ３は、複写機では解像されない範囲の２５μｍ〜６０μｍで設定すれば良い。
【００３８】
図４（ａ）は第２の非視認性の複写防止模様からなる画線構成図であり、図２の第１の非視認性の複写防止模様の画線（７）の画線構成に対し、第２の非視認性の複写防止模様の画線においては１本の画線（７ａ）が他の分岐した２本の画線（７ｂ）及び（７ｃ）よりずれ（Ｓ）を有する。前記１本の画線（７ａ）のずれ（Ｓ）の値については、前記他の分岐した２本の基本線方向の長さ（ｂ２）もしくは（ｃ２）の値に近似すればするほど、第２の非視認性の複写防止模様の画線を有する印刷物を複写した場合、第２の非視認性の複写防止模様の画線は複雑化されているため、複写機の走査線での読み取りを困難にする効果が生まれる。その結果、潜像を施さない部分の画線（６）は忠実に再生されるが、第２の非視認性の複写防止模様の画線は背景色とほぼ同色となり、第２の非視認性の複写防止模様の発現し、より一層明瞭に肉眼で潜像が認識できる。
【００３９】
また、図４（ｂ）は第２の視認性の複写防止模様からなる画線構成図であり、図３の第１の視認性の複写防止模様の画線（８）の画線構成に対し、第２の視認性の複写防止模様の画線においては１本の画線（８ｄ）が他の分岐した２本の画線（８ｅ）及び（８ｆ）よりずれ（Ｓ）を有する。前記１本の画線（８ｄ）のずれ（Ｓ）の値については、前記領域面積を加味し、前記他の分岐した２本の基本線方向の長さ（ｅ２）もしくは（ｆ２）の値に近似すればするほど、第２の視認性の複写防止模様の画線を有する印刷物を複写した場合、第２の視認性の複写防止模様の画線は複雑化されているため、複写機の走査線での読み取りを困難にする効果が生まれる。その結果、潜像を施さない部分の画線（６）は忠実に再生されるが、第２の視認性の複写防止模様の画線は濃度が低下し、潜像を施さない部分の画線（６）とより等しい濃度となり、肉眼での潜像を施さない部分の画線（６）と第２の視認性の複写防止模様の画線の同化がより顕著となる。
【００４０】
さらに、図４（ａ）は第２の非視認性の複写防止模様からなる画線構成図であり、図２の第１の非視認性の複写防止模様の画線（７）の画線構成に対し、第２の非視認性の複写防止模様の画線においては１本の画線（７ａ）の画線部と非画線部からなる基本線方向の所定の長さをＴ、他の分岐した２本の画線（７ｂ）及び（７ｃ）の画線部と非画線部からなる基本線方向の所定の長さをＢとする。この場合、前記画線部と非画線部からなる基本線方向の所定の長さＢより前記画線部と非画線部からなる基本線方向の所定の長さＴを長周期で設定する。前記画線部と非画線部からなる基本線方向の所定の長さＴの値については、前記領域面積を加味できる範囲で最大限に長い周期で設定すればするほど潜像効果が向上する。第２の非視認性の複写防止模様の画線を有する印刷物を複写した場合、第２の非視認性の複写防止模様の画線は複雑化されているため、複写機の走査線での読み取りを困難にする効果が生まれる。その結果、潜像を施さない部分の画線（６）は忠実に再生されるが、第２の非視認性の複写防止模様の画線は背景色とほぼ同色となり、第２の非視認性の複写防止模様の発現し、より一層明瞭に肉眼で潜像が認識できる。より一層明瞭に第２の非視認性の複写防止模様の発現し、潜像が認識できる。
【００４１】
また、図４（ｂ）は、第２の視認性の複写防止模様からなる画線構成図であり、図３の第１の視認性の複写防止模様の画線（８）の画線構成に対し、第２の視認性の複写防止模様の画線においては１本の画線（８ｄ）の画線部と非画線部からなる基本線方向の所定の長さをＴ、他の分岐した２本の画線（８ｅ）及び（８ｆ）の画線部と非画線部からなる基本線方向の所定の長さをＢとする。この場合、前記画線部と非画線部からなる基本線方向の所定の長さＢより前記画線部と非画線部からなる基本線方向の所定の長さＴを長周期で設定する。前記画線部と非画線部からなる基本線方向の所定の長さＴの値については、前記領域面積を加味できる範囲で最大限に長い周期で設定すればするほど、第２の視認性の複写防止模様の画線を有する印刷物を複写した場合、第２の視認性の複写防止模様の画線は複雑化されているため、複写機の走査線での読み取りを困難にする効果が生まれる。その結果、潜像を施さない部分の画線（６）は忠実に再生されるが、第２の視認性の複写防止模様の画線は濃度が低下し、潜像を施さない部分の画線（６）とより等しい濃度となり、肉眼での潜像を施さない部分の画線（６）と第２の視認性の複写防止模様の画線の同化がより顕著となる。
【００４２】
本実施例では第２の非視認性の複写防止模様の画線及び第２の視認性の複写防止模様の画線においては１本の画線が他の分岐した２本の画線よりずれを有する画線、又は、１本の画線の画線部と非画線部からなる長さが異なる画線で説明しているが、本発明はこの実施例に限定されるものでなく、複数に分岐した画線のうち、少なくとも１本以上の画線が他の分岐した画線と異なる周期であれば同じ様な潜像効果が現れる。
【００４３】
図５に示すように前記第１の非視認性の複写防止模様の画線（７）の画線部の画線同士が交差する領域で、前記画線（７）の画線部の何れか一方の画線（７）を削除する。また、前記第１の視認性の複写防止模様の画線（８）の画線部の画線同士が交差する領域で、前記画線（８）の画線部の何れか一方の画線（８）を削除する。また、前記第１の非視認性の複写防止模様の画線（７）と前記第１の視認性の複写防止模様の画線（８）の画線部の画線同士が交差する領域で、前記画線（７）又は（８）の何れか一方の画線（７）又は（８）を削除する。よって、本発明の複写防止模様を全体で見た際、前記模様中の曲線状の画線同士が交差する領域が存在するように見えても、実際には第１の非視認性の複写防止模様の画線（７）の画線部の画線同士、第１の視認性の複写防止模様の画線（８）の画線部の画線同士、第１の非視認性の複写防止模様の画線（７）の画線部と第１の視認性の複写防止模様の画線（８）の画線部の画線同士において交差（重なり）が存在しなくなる。従って、交差した部分に生ずる画線の高濃度化を防止できるようにしている。即ち、通常該模様の作成時には図６のように、第１の非視認性の複写防止模様の画線（７）の定周期断絶線の画線同士、第１の視認性の複写防止模様の画線（８）の定周期断絶線の画線同士、第１の非視認性の複写防止模様の画線（７）の定周期断絶線の画線部と第１の視認性の複写防止模様の画線（８）の定周期断絶線の画線は完全に交差した状態となっているが、図５のように、画線同士が交差する領域で何れか一方の画線を削除する。これにより、本発明の画線構成を有した印刷物を複写機により複写すると、複写機の解像力から、潜像を施さない部分の画線は忠実に再生されるが、第１の非視認性の複写防止模様の画線は再生されないか、もしくは再生不良により、背景色とほぼ同色となり、第１の非視認性の複写防止模様の画線と潜像を施さない部分の実線に濃度差が生じるだけでなく、肉眼での潜像の発現を阻害すること無く、より一層明瞭に第１の非視認性の複写防止模様の画線が発現する。また、潜像を施さない部分の画線は忠実に再生されるが、第１の視認性の複写防止模様の画線は濃度が低下するので、第１の視認性の複写防止模様の画線は潜像を施さない部分の画線とより等しい濃度となり、肉眼での潜像を施さない部分の画線と第１の視認性の複写防止模様の画線の同化がより顕著となる。
【００４４】
本発明はこの実施例に限定されるものでなく、第１の視認性の複写防止模様の画線、第１の非視認性の複写防止模様の画線、第２の視認性の複写防止模様の画線又は第２の非視認性の複写防止模様の画線のうち、少なくとも２つ以上の複写防止模様の画線を有した場合、画線同士が交差する部分で、前記画線同士の何れか一方の画線を、画線同士が交差する領域で削除することにより、同様の効果が得られる。
【００４５】
また、従来開示されている複写防止用印刷物は、網点若しくは万線等におけるスクリーンパターンの粗密によって潜像が施されているため、複写防止模様を形成する各々の画線の、潜像を施さない部分の画線と潜像を施した部分の画線上の境界線の方向が、潜像を施さない部分と潜像を施した部分の境界部において、同一方向に規則性を持ってしまうために干渉が生じ、潜像が目視で視認されてしまうことから、カムフラージ模様を用いらざるを得ない一要因となっていたが、本発明の画線構成は、複写防止模様における潜像の非視認性を高める方法として、図７に示すように、潜像を施さない部分の実線（６）と、第１の非視認性の複写防止模様の画線（７）の定周期断絶線の境界線（９ａ）を、基本線（１０）と潜像の輪郭線（１２）との交点（１３ａ）において、前記基本線（１０）に対し、略直角に交わる直線（９ａ）とする。また、潜像を施さない部分の実線（６）と、第１の視認性の複写防止模様の画線（８）の定周期断絶線の境界線（９ｂ）を、基本線（１０）と潜像の輪郭線（１２）との交点（１３ｂ）において、前記基本線（１０）に対し、略直角に交わる直線（９ｂ）とする。併せて、第１の非視認性の複写防止模様の（７）画線の定周期断絶線上の画線部と非画線部の境界線（９ｃ）を、基本線（１０）と第１の非視認性の複写防止模様の画線（７）の定周期断絶線上の画線部と非画線部の境界線（９ｃ）との交点（１３ｃ）において、前記基本線（１０）に対し、略直角に交わる直線（９ｃ）としている。また、第１の視認性の複写防止模様の画線（８）の定周期断絶線上の画線部と非画線部の境界線（９ｄ）を、基本線（１０）と第１の非視認性の複写防止模様の画線（８）の定周期断絶線上の画線部と非画線部の境界線（９ｄ）との交点（１３ｄ）において、前記基本線（１０）に対し略直角に交わる直線（９ｄ）としている。上記に示すように略直角に交わる直線としているので、潜像を施さない部分の実線（６）と第１の非視認性の複写防止模様の画線（７）の定周期断絶線の境界線（９ａ）と、潜像の輪郭線（１２）、及び潜像を施さない部分の実線（６）と第１の視認性の複写防止模様の画線（８）の定周期断絶線の境界線（９ｂ）と、潜像の輪郭線（１２）とは同一方向に規則性を持たなくすることができる。よって、本発明による画線構成を用いた複写防止模様を印刷した場合、潜像を施さない部分の実線（６）、第１の非視認性の複写防止模様の画線（７）の定周期断絶線の画線部、第１の視認性の複写防止模様の画線（８）の定周期断絶線の画線部、潜像の輪郭線（１２）、第１の非視認性の複写防止模様の画線（７）の定周期断絶線上の画線部と非画線部の境界線（９ｃ）及び第１の視認性の複写防止模様の画線（８）の定周期断絶線上の画線部と非画線部の境界線（９ｄ）の相互間における干渉を防止できる。
【００４６】
また、本発明はこの本実施例に限定されるものでなく、本発明は第１の非視認性の複写防止模様の画線（７）と第１の視認性の複写防止模様の画線（８）の輪郭線を基本線（１０）と潜像の輪郭線（１２）との交点において、前記基本線（１０）に対し略直角に交わる直線とすることで同様の効果が得られる。また、第１の視認性の複写防止模様の画線（８）、第１の非視認性の複写防止模様の画線（８）、第２の視認性の複写防止模様の画線又は第２の非視認性の複写防止模様の画線うち、少なくとも２つ以上の複写防止模様の画線を有した場合、画線上の境界線を、基本線（１０）と潜像の輪郭線（１２）との交点において、前記基本線（１０）に対し略直角に交わる直線とすることで潜像の輪郭線（１２）と複写防止模様の干渉を防止できる。
【００４７】
本発明の実施例をさらに詳細に説明する。一般的に彩紋模様は、図案に従い数学関数上で描画した模様であるため、前記模様を作成する装置としては、歯車、カム等の機械的動作によって描画する装置と、コンピュータを用いて二次元座標上の関数により描画する装置とがあるが、本実施例においては市販のコンピュータ・グラフィック・デザイン装置（以下ＣＧＳという。）を用いた例で説明する。
【００４８】
本発明においては、前述したように印刷時の画線の膨張値（又は収縮値）を加味して、製版時における画線設計を行うため、予め膨張値（又は収縮値）をテスト画線で調査した。テスト画線として、製版用フィルム原版上の画線幅を１００μｍとし、用紙に市販の上質紙を用い、インキも市販のオフセットインキ（ピンク）でオフセット印刷を行った後、前記印刷物の画線幅を測定した結果、１０６μｍと計測されたので、画線幅方向の画線の膨張値は全体で６μｍであり、印刷をした際の画線周囲に生じる膨張値（又は収縮値）ｇは３μｍであることがわかった。
【００４９】
前記テスト画線により得られた画線周囲に生じる膨張値３μｍの値を用いて、本発明の画線構成により、潜像を施さない部分の実線の基本線に対して直角方向の印刷画線幅が１０６μｍとなる１本又は複数の画線からなる模様印刷物を得るための刷版を作製した。まず市販のＣＧＳを用い、図８に示すような１本又は複数の画線からなる模様を構成する基本をなすスプライン曲線からなる基本線（１８）は緩やかな波状の線であり、このスプライン曲線からなる基本線（１８）を二次元座標上に設定し、３００μｍの間隔で平行に送り、第１の非視認性の複写防止模様の図形（１４）と第１の視認性の複写防止模様の図形（１５）を、スプライン曲線からなる基本線（１８）上に配置した。なお、第１の非視認性の複写防止模様の図形（１４）は、通常は肉眼で認識できない第１の非視認性の複写防止模様の画線を施すための図形であり、第１の視認性の複写防止模様の図形（１５）は通常は肉眼で認識できるが複写機にかけると周囲の模様と同化する第１の視認性の複写防止模様の画線を施すための図形である。本発明の印刷物が不心得者により複写機によって複製された場合に、目視によって明瞭に識別できるものであれば、文字、数字、図形等の何れをも問わない。
【００５０】
潜像を施さない部分の画線（６）と第１の非視認性の複写防止模様の画線（７）の境界は、図８に示すように、第１の非視認性の複写防止模様の画線の輪郭線（１６）でスプライン曲線からなる基本線（１８）を切断し、第１の非視認性の複写防止模様の図形（１４）で囲まれた画線を集め、スプライン曲線からなる基本線（１８）の中心線を基準に上下に等距離８０μｍに画線を設ける。同様に潜像を施さない部分の画線（６）と第１の視認性の複写防止模様の画線（８）の境界は、図８に示すように、第１の視認性の複写防止模様の画線の輪郭線（１７）でスプライン曲線からなる基本線（１８）を切断し、同様に第１の視認性の複写防止模様の図形（１５）で囲まれた画線を集め、スプライン曲線からなる基本線（１８）の中心線を基準に上下に等距離８０μｍに画線を設ける。これらスプライン曲線を用いて画線幅ならびに定周期断絶線の数値を代入する。中心線を基準に等距離に上下に８０μｍの距離に画線を設けた理由については、スプライン曲線からなる基本線（１８）を３００μｍに設定したので、定周期断絶線の画線同士が重ならない程度の間隔とするので、スプライン曲線からなる基本線（１８）の間隔によって値も変わってくる。
【００５１】
まず実施例で作成しようとしている複写防止模様では、前記図２及び前記図３における潜像を施さない部分の実線（１１）の基本線（１０）に対して直角方向の印刷画線幅を１０６μｍとし、画線設計上の画線幅Ａを、前述のテスト画線で把握した画線幅方向の画線の膨張値（３＋３）μｍを差し引いた１００μｍと設定した。
【００５２】
次に、第１の非視認性の複写防止模様の画線の設定、即ち、図２における第１の非視認性の複写防止模様の画線（７）の定周期断絶線の画線部の基本線（１０）に対して直角方向の画線幅ａ、ｂ、ｃと、第１の非視認性の複写防止模様の画線の定周期断絶線の画線部の基本線方向の長さａ２、ｂ２、ｃ２と、第１の非視認性の複写防止模様の画線の定周期断絶線の非画線部の基本線方向の長さａ３、ｂ３、ｃ３を設定することが必要である。まず、印刷物上における第１の非視認性の複写防止模様の画線の定周期断絶線の画線部の基本線方向の長さａ２＋２ｇ、ｂ２＋２ｇ、ｃ２＋２ｇについては、潜像が肉眼で視認されず、且つ、複写機で解像されないことが必要であるから、一般的な複写機の出力解像度を４００ｄｐｉとすると１画素は６４μｍであるから、解像されにくい長さの目安として６４μｍ以下が適しており、本実施例では第１の非視認性の複写防止模様の画線はａ＋２ｇを５６μｍ、ｂ＋２ｇを５６μｍ、ｃ＋２ｇを５６μｍとし、基本線（１０）を基準に上下に等距離にしたＨを定周期断絶線の画線同士の重なり合いを防ぐために８０μｍとし、ａ２＋２ｇを５６μｍ、ｂ２＋２ｇを５６μｍ、ｃ２＋２ｇを５６μｍ、次に非画線部の基本線方向の長さを、潜像が肉眼で認識されず、且つ、複写機で解像されない範囲の２５μｍ〜６０μｍが可能であるが、本実施例ではａ３は３１μｍ、ｂ３は３１μｍ、ｃ３は３１μｍとした。従って、テスト画線で把握した基本線方向の画線の膨張値（３＋３）μｍを差し引くことにより、ａは５０μｍ、ｂは５０μｍ、ｃは５０μｍ、ａ２は５０μｍ、ｂ２は５０μｍ、ｃ２は５０μｍとなる。Ｂの長さは非画線部３１μｍから膨張値（３＋３）μｍを引いた値に画線部の長さ５６をたしたものであり、即ち、（３１−６）＋５６＝８１となる。これを前記数式（１）に代入すると、
０．９５×８１×１０６≦５６×５６＋５６×５６＋５６×５６≦１．１×８１×１０６であり、計算をすると、８１５６．７≦９４０８≦９４４４．６となり関係範囲を満足しているのがわかる。
【００５３】
本実施例では第１の非視認性の複写防止模様の画線は３分岐した定周期断絶線を３分岐とも同じ面積で、且つ、同じ周期で説明しているが、本発明はこの実施例に限定されるものでなく、第１の非視認性の複写防止模様の画線は潜像を施した部分の画線を基本線方向を基準とし等距離に複数に分岐し、前記複数に分岐した画線がそれぞれ一定の間隔で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積と等しければ、複数に分岐したそれぞれの面積が異なっていても良い。また、２分岐した定周期断絶線でも同じ様な潜像効果が現れる。また、潜像を施した部分の画線を基本線方向を基準とし等距離に複数に分岐し、前記複数に分岐した画線のうち、少なくとも１本以上の画線が他の分岐した画線と異なる周期で配列された形状の画線の第２の非視認性の複写防止模様を用いれば、より潜像効果が向上する。
【００５４】
次に、第１の視認性の複写防止模様の画線の設定、即ち、図３における第１の視認性の複写防止模様の画線（８）の定周期断絶線の画線部の基本線（１０）に対して直角方向の画線幅ｄ、ｅ、ｆと、第１の視認性の複写防止模様の画線の定周期断絶線の画線部の基本線方向の長さｄ２、ｅ２、ｆ２と、第１の視認性の複写防止模様の画線の定周期断絶線の非画線部の基本線方向の長さｄ３、ｅ３、ｆ３を設定することが必要である。まず、印刷物上における第１の視認性の複写防止模様の画線の定周期断絶線の画線部の基本線方向の長さｄ２＋ｇ＋ｇ、ｅ２＋ｇ＋ｇ、ｆ２＋ｇ＋ｇについては、潜像が肉眼で視認でき、且つ、複写機で解像されないことが必要であるから、一般的な複写機の出力解像度を４００ｄｐｉとすると１画素は６４μｍであるから、解像されにくい長さの目安として６４μｍ以下が適しており、本実施例では第１の視認性の複写防止模様の画線はｄ＋ｇ＋ｇを７６μｍ、ｅ＋ｇ＋ｇを７６μｍ、ｆ＋ｇ＋ｇを７６μｍとし、基本線（１０）を基準に上下に等距離にしたＨを定周期断絶線の画線同士の重なり合いを防ぐために８０μｍとし、ｄ２＋ｇ＋ｇを５１μｍ、ｅ２＋ｇ＋ｇを５１μｍ、ｆ２＋ｇ＋ｇを５１μｍ、次に非画線部の基本線方向の長さを、潜像が肉眼で認識されず、且つ、複写機で解像されない範囲の２５μｍ〜６０μｍが可能であるが、本実施例ではｄ３は３６μｍ、ｅ３は３６μｍ、ｆ３は３６μｍとした。従って、テスト画線で把握した基本線方向の画線の膨張値（３＋３）μｍを差し引くことにより、ｄは７０μｍ、ｅは７０μｍ、ｆは７０μｍ、ｄ２は４５μｍ、ｅ２は４５μｍ、ｆ２は４５μｍとなる。Ｂの長さは非画線部３６μｍから膨張値（３＋３）μｍを引いた値に画線部の長さ５１をたしたものであり、即ち、（３６−６）＋５１＝８１となる。これを前記数式（２）に代入すると、
１．２×８１×１０６≦７６×５１＋７６×５１＋７６×５１≦１．４×８１×１０６であり、計算をすると、１０３０３．２≦１１６２８≦１２０２０．４となり関係範囲を満足しているのがわかる。
【００５５】
なお、本実施例で用いた数値は、これに限定されるものでなく必要に応じて変更が可能である。
【００５６】
本実施例では第１の非視認性の複写防止模様の画線は３分岐した定周期断絶線を３分岐とも同じ面積で、且つ、同じ周期で説明しているが、本発明はこの実施例に限定されるものでなく、第１の非視認性の複写防止模様の画線は潜像を施した部分の画線を基本線方向を基準とし等距離に複数に分岐し、前記複数に分岐した画線がそれぞれ一定の間隔で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積と等しければ、複数に分岐したそれぞれの面積が異なっていても良い。
第１の視認性の複写防止模様の画線は前記第１の非視認性の複写防止模様の画線と同様に、３分岐した定周期断絶線を３分岐とも同じ面積で、且つ、同じ周期で説明しているが、本発明はこの実施例に限定されるものでなく、第１の視認性の複写防止模様の画線は潜像を施した部分の画線を基本線方向を基準とし等距離に複数に分岐し、前記複数に分岐した画線がそれぞれ一定の間隔で配列された形状の画線からなる定周期断絶線で構成し、潜像を施した部分の定周期断絶線のうち、基本線方向に分岐した画線部と非画線部からなる所定の長さに相当する部分の画線面積の総和が、潜像を施さない部分の実線のうち、基本線方向における前記所定の長さと同一の長さに相当する部分の画線面積より大きければ、複数に分岐したそれぞれの面積が異なっていても良い。また、第１の非視認性の複写防止模様の画線及び第１の視認性の複写防止模様の画線は２分岐した定周期断絶線でも同じ様な効果が現れる。さらに、潜像を施した部分の画線を基本線方向を基準とし等距離に複数に分岐し、前記複数に分岐した画線のうち、少なくとも１本以上の画線が他の分岐した画線と異なる周期で配列された形状の画線の第２の非視認性の複写防止模様又は第２の視認性の複写防止模様を用いれば、より潜像効果が向上する。
【００５７】
ＣＧＳで設計された複写防止模様は市販のレーザープロッターを用いて製版用フィルム原版を作成し、次に、市販のポジタイプＰＳ版で刷版を作製し、得られた刷版を用い、市販の上質紙上に、市販のオフセットインキ（ピンク）で、印刷機器の調整は一般の平版オフセット印刷に等しく、特別に調整することなくオフセット印刷を行い、図９に示すの印刷物を得る。
【００５８】
図９の印刷物を目視で観察した場合、観察者には潜像を施した部分の画線である第１の非視認性の複写防止模様の画線（７）が定周期断絶線であるにもかかわらず、基本線方向に連続した１本の画線であるかのように認識されることにより、肉眼では第１の非視認性の複写防止模様の画線はまったく識別できなくすることを可能にしている。また、第１の視認性の複写防止模様の画線（８）は肉眼では、潜像を施さない部分の画線（６）よりも濃度が濃いので第１の視認性の複写防止模様の画線は認識できる。従って、第１の非視認性の複写防止模様の画線（７）において、観察者は印刷画線の拡大視を試みない限り、第１の非視認性の複写防止模様の画線（７）の存在をまったく視認することができず、第１の視認性の複写防止模様の画線（８）は、定周期断絶線であるが、拡大視を試みない限り、１本の太い画線で有るかのように認識され、一見すると第１の視認性の複写防止模様の画線（８）と潜像を施さない部分の画線（６）の印刷物に見える。
【００５９】
図１０は、本発明の印刷物図９を、カラー複写機（例えば、キャノンＣＬＣ９００型、リコーＰＡＴＥＲ７５０型、ミノルタＣＦ９００）によって複製した複製物を示したものである。図９に示す第１の非視認性の複写防止模様の画線（７）に対置する図１０の複写した第１の非視認性の複写防止模様の画線（７'）は、複写機で再生不能となり、第１の非視認性の複写防止模様の画線（７'）と潜像を施さない部分の画線（６'）に濃度差が生じ、第１の非視認性の複写防止模様の画線（７'）は背景色とほぼ同色となり、第１の非視認性の複写防止模様の画線（７'）が発現しているように肉眼で認識できる。また、図９に示す第１の視認性の複写防止模様の画線（８）に対置する図１０の複写した第１の視認性の複写防止模様の画線（８'）は、潜像を施さない部分の画線（６'）と濃度差が同一となり、第１の視認性の複写防止模様の画線（８'）は潜像を施さない部分の画線（６'）の画線のように肉眼で認識され、第１の視認性の複写防止模様の画線（８'）は、肉眼でまったく識別できなくなっている。よって、複写機を用いた複製物であることが一目瞭然であり、真偽判別が可能となる。
【００６０】
【発明の効果】
本発明では、前述のとおり、第１の非視認性の複写防止模様及び第１の視認性の複写防止模様は画線部を細分化しているため、潜像を施さない部分の画線と第１の非視認性の複写防止模様の画線及び第１の視認性の複写防止模様の画線で形成した印刷物を複写機で複写した場合、潜像が発現及び潜像を施さない部分の画線との同化を一層明瞭にすることができる。
【００６１】
さらに、第１の非視認性の複写防止模様及び第１の視認性の複写防止模様の細分化された画線の周期を少なくとも１本以上異なる周期とすることにより、潜像の発現及び潜像を施さない部分の画線との同化をより一層明瞭にできる。
【００６２】
さらに、非視認性の複写防止模様及び視認性の複写防止模様を同時に一枚の印刷物に組み入れた構成にすることにより、非視認性の複写防止模様の画線は肉眼ではまったく識別できず、複写機で複写した場合に非視認性の複写防止模様の画線が忠実に再生されず、潜像が発現し、また、視認性の複写防止模様の画線は複写前は識別できるが、複写機により複写した場合に潜像を施さない部分の画線と同化する。このように複写機で複写した場合の非視認性の複写防止模様の画線と視認性の複写防止模様の画線の複写物の目視状態の違いにより視覚的に印象が強い変化をもたらし、複写物である判別が容易となり、複写機による偽造、変造の防止効果を有する。
【００６３】
さらに、単色印刷で容易に印刷できるのでコストも低減でき、あえてカムフラージ模様を重ね刷りする必要がない。印刷時の濃度管理や画線太り等の調整が容易であり、印刷での許容範囲が広くても複写防止効果を有する。
【００６４】
さらに、地紋、彩紋模様にモアレ模様等の他種の偽造防止策を同一画線上に併用した印刷物も可能であり、印刷後にエンボス（凸凹）を付与しても複写防止効果が低下することがない。その結果、本発明は、複写機による偽造、変造防止の対象である銀行券、株券、債券等の有価証券や、各種証明書及び重要書類等に採用することができる。
【図面の簡単な説明】
【図１】  本発明の複写防止模様及び一部拡大図。
【図２】  潜像を施さない部分の画線と第１の非視認性の複写防止模様の画線の拡大図。
【図３】  潜像を施さない部分の画線と第１の視認性の複写防止模様の画線の拡大図。
【図４】  第２の非視認性の複写防止模様を施した部分の画線又は第２の視認性の複写防止模様を施した部分の画線の画線構成
【図５】  第１の視認性と第１の非視認性の複写防止模様の画線の定周期断絶線の画線部の画線同士が交差する領域の説明図。
【図６】  第１の視認性と第１の非視認性の複写防止模様の画線の定周期断絶線の画線部の画線同士が交差する領域の説明図。
【図７】  基本線と潜像の輪郭線との交点又は定周期断絶線上の画線部と非画線部の境界線との交点において、基本線に対し、略直角に交わる直線とする説明図。
【図８】  本発明の複写防止模様の二次元データ上の画線構成図及び一部拡大図。
【図９】  本発明の複写防止模様を有する印刷物を示す図。
【図１０】  本発明の複写防止模様を施した印刷物の複製物を示す図。
【図１１】  従来の複写防止用印刷物の模様及び前記模様の一部拡大図。
【図１２】  従来の複写防止用印刷物の複写物の模様及び前記模様の一部拡大図。
【符号の説明】
１      従来の複写防止用印刷物
２      印刷面全体の模様
３      印刷物上の再生されない密構成のスクリーンパターン
３’    複写物上の再生されない密構成のスクリーンパターン
４      印刷物上の再生される粗構成のスクリーンパターン
４’    複写物上の再生される粗構成のスクリーンパターン
５      潜像の境界線との干渉部
６      潜像を施さない部分の画線
７      第１の非視認性の複写防止模様を施した部分の画線
８      第１の視認性の複写防止模様を施した部分の画線
９ａ    第１の非視認性の複写防止模様の画線の定周期断絶線の境界線
９ｂ    第１の視認性の複写防止模様の画線の定周期断絶線の境界線
９ｃ    第１の非視認性の複写防止模様の画線の定周期断絶線上の画線部と非画線部の境界線
９ｄ    第１の視認性の複写防止模様の画線の定周期断絶線上の画線部と非画線部の境界線
１０    基本線
１１    潜像を施さない部分の実線
１２    潜像の輪郭線
１３ａ  基本線と潜像の輪郭線との交点
１３ｂ  基本線と潜像の輪郭線との交点
１３ｃ  第１の非視認性の複写防止模様の画線上の画線部と非画線部の境界線と基本線との交点
１３ｄ  第１の視認性の複写防止模様の画線上の画線部と非画線部の境界線と基本線との交点
１４    第１の非視認性の複写防止模様の図形
１５    第１の視認性の複写防止模様の図形
１６    第１の非視認性の複写防止模様の画線の輪郭線
１７    第１の視認性の複写防止模様の画線の輪郭線
１８    スプライン曲線からなる波万線状の基本線
Ａ      潜像を施さない部分の実線の基本線に対して直角方向の画線幅
Ｂ      第１の視認性及び第１の非視認性の複写防止模様の定周期断絶線の基本線方向の所定の長さ
Ｈ      基本線を基準とした等距離の長さ
Ｈ２    ｂ、ｃ、ｅ、ｆの長さの中心線
Ｔ      異なる周期
Ｓ      ずれ
ａ      第１の非視認性の複写防止模様の定周期断絶線の画線部の基本線に対して直角方向の長さ
ｂ      第１の非視認性の複写防止模様の基本線（１０）を基準に等距離Ｈを中心線（Ｈ２）とした定周期断絶線の画線部に対して直角方向の画線幅
ｃ      第１の非視認性の複写防止模様の基本線（１０）を基準に等距離Ｈを中心線（Ｈ２）とした定周期断絶線の画線部に対して直角方向の画線幅
ｄ      第１の視認性の複写防止模様の定周期断絶線の画線部の基本線に対して直角方向の長さ
ｅ      第１の視認性の複写防止模様の基本線（１０）を基準に等距離Ｈを中心線（Ｈ２）とした定周期断絶線の画線部に対して直角方向の画線幅
ｆ      第１の視認性の複写防止模様の基本線（１０）を基準に等距離Ｈを中心線（Ｈ２）とした定周期断絶線の画線部に対して直角方向の画線幅
ａ２    第１の非視認性の複写防止模様の画線ａの基本線方向の長さ
ｂ２    第１の非視認性の複写防止模様の画線ｂの基本線方向の長さ
ｃ２    第１の非視認性の複写防止模様の画線ｃの基本線方向の長さ
ｄ２    第１の視認性の複写防止模様の画線ｄの基本線方向の長さ
ｅ２    第１の視認性の複写防止模様の画線ｅの基本線方向の長さ
ｆ２    第１の視認性の複写防止模様の画線ｆの基本線方向の長さ
ａ３    ａに対して第１の非視認性の複写防止模様の定周期断絶線の非画線部の基本線方向の長さ
ｂ３    ｂに対して第１の非視認性の複写防止模様の定周期断絶線の非画線部の基本線方向の長さ
ｃ３    ｃに対して第１の非視認性の複写防止模様の定周期断絶線の非画線部の基本線方向の長さ
ｄ３    ｄに対して第１の視認性の複写防止模様の定周期断絶線の非画線部の基本線方向の長さ
ｅ３    ｅに対して第１の視認性の複写防止模様の定周期断絶線の非画線部の基本線方向の長さ
ｆ３    ｆに対して第１の視認性の複写防止模様の定周期断絶線の非画線部の基本線方向の長さ
ｇ      画線周囲に生じる膨張値（又は収縮値）
【図１】
0003689786.tif 000004
【図２】
0003689786.tif 000005
【図３】
0003689786.tif 000006
【図４】
0003689786.tif 000007
【図５】
0003689786.tif 000008
【図６】
0003689786.tif 000009
【図７】
0003689786.tif 000010
【図８】
0003689786.tif 000011
【図９】
0003689786.tif 000012
【図１０】
0003689786.tif 000013
【図１１】
0003689786.tif 000014
【図１２】
0003689786.tif 000015